(57)【要約】【課題】  保持枠の剛性を維持したままでテストレンズの中心間距離を小さくすることが可能な検眼フレームを提供する。【解決手段】  左右のテストレンズＴを回転自在にフロントフレームの保持枠１１に保持する検眼フレームにおいて、本体３１ｂと、この本体３１ｂに設けられ保持枠１１の貫通孔１１ａ内に嵌装される嵌装部３１１と、この嵌装部３１１に設けられ、嵌装部３１１が貫通孔１１ａから抜脱しないように、かつ、嵌装部３１１を保持枠１１に対して回転自在に取り付ける取付手段とを備え、嵌装部３１１及び前記取付手段を介して保持枠１１に回転自在に保持される一つ又は複数の回転リング３１と、嵌装部３１１と保持枠１１との間に設けられ、回転リング３１を所定の回転角度位置で位置決めする回転角度の位置決め手段３１１ｂ，２１１ｅとを有する。【選択図】  図４
2020146110.tif 000002
【特許請求の範囲】
【請求項１】
左右のテストレンズを回転自在にフロントフレームの保持枠に保持する検眼フレームにおいて、
本体と、この本体に設けられ前記保持枠の貫通孔内に嵌装される嵌装部と、この嵌装部に設けられ、前記嵌装部が前記貫通孔から抜脱しないように、かつ、前記嵌装部を前記保持枠に対して回転自在に取り付ける取付手段とを備え、前記嵌装部及び前記取付手段を介して前記保持枠に回転自在に保持される一つ又は複数の回転リングと、
前記嵌装部と前記保持枠との間に設けられ、前記回転リングを所定の回転角度位置で位置決めする回転角度の位置決め手段と、
を有することを特徴とする検眼フレーム。
【請求項２】
本体と、この本体に設けられ前記貫通孔内に嵌装される嵌装部を備え、この嵌装部が前記貫通孔に嵌装された状態で前記保持枠に固定される固定リングを有することを特徴とする請求項１に記載の検眼フレーム。
【請求項３】
前記回転リングを前記保持枠、別の前記回転リング又は前記固定リングのいずれかに固定する固定手段を設け、この固定手段によって少なくとも一つの前記回転リングを前記保持枠、別の前記回転リング又は前記固定リングに対して固定できるようにしたことを特徴とする請求項１又は２に記載の検眼フレーム。
【請求項４】
前記回転リングの取付手段が、前記回転リングの嵌装部に形成された係合部と、前記保持枠、前記固定リングの嵌装部又は前記回転リングとは別の前記回転リングの嵌装部に形成され前記係合部と係合する被係合部とから構成されていること、
を特徴とする請求項１〜３のいずれかに記載の検眼フレーム。
【請求項５】
前記回転角度の位置決め手段が、前記回転リングの嵌装部と前記保持枠との間、前記回転リングと別の前記回転リングの嵌装部同士の間又は前記固定リングの嵌装部と前記回転リングの嵌装部との間に設けられていることを特徴とする請求項１〜４のいずれかに記載の検眼フレーム。
【請求項６】
前記回転角度の位置決め手段が、前記回転リングの嵌装部、別の前記回転リングの嵌装部、前記固定リングの嵌装部又は前記保持枠の貫通孔の内周面に形成された複数の凹部と、前記回転リングの嵌装部、別の前記回転リングの嵌装部、前記固定リングの嵌装部又は前記保持枠の貫通孔の内周面に形成された前記凹部と係合する少なくとも一つの突起であることを特徴とする請求項５に記載の検眼フレーム。
【請求項７】
前記取付手段及び前記回転角度の位置決め手段の少なくとも一方が、前記回転リングの嵌装部、別の前記回転リングの嵌装部、前記固定リングの嵌装部、前記保持枠の貫通孔の内周面に設けられた磁石と、前記回転リングの嵌装部、別の前記回転リングの嵌装部、前記固定リングの嵌装部、前記保持枠の貫通孔の内周面に設けられ前記磁石と磁着する磁着体とから構成されていることを特徴とする請求項１〜６のいずれかに記載の検眼フレーム。
【請求項８】
前記回転リングの本体又は前記固定リングの本体は、左右の前記保持枠に保持された前記回転リング又は前記固定リングが互いに干渉しないように、少なくとも一部において前記保持枠よりも外側に張り出さないように形成されていること、
を特徴とする請求項１〜７のいずれかに記載の検眼フレーム。
【請求項９】
左右の前記保持枠が近接する部分の幅を、他の部分よりも小幅に形成したことを特徴とする請求項１〜８のいずれかに記載の検眼フレーム。
【発明の詳細な説明】
【技術分野】
【０００１】
本発明は、被験者の視力に応じた眼鏡を提供するために、眼鏡販売店や医療機関の眼科などで行われる視力検査のための検眼フレームに関する。
【背景技術】
【０００２】
病院の眼科や眼鏡販売店などで視力検査を行う際には、度数が異なるテストレンズを多数準備しておき、このテストレンズを着脱自在に保持する検眼フレームを被験者が装着して、前記検眼フレームに度数の異なる前記テストレンズを交換しながら、前記被験者の視力に最適な度数のレンズを決定するようにしている。このような検眼フレームでは、テストレンズを回転自在に保持することで、乱視やプリズムの検査も行えるようにしている（例えば特許文献１、２参照）。      
【０００３】
図１３は従来の検眼フレームの一例を示す図で、（ａ）はその全体構成を説明する正面図、（ｂ）は回転リングの背面図、（ｃ）(i)は取付リングの正面図、（ｃ）(ii)は(i)のＹ−Ｙ方向の拡大断面図、（ｄ）は（ａ）のＸ−Ｘ方向の拡大断面図である。なお、図１３（ａ）においては、右側（紙面の右側）の保持枠から回転リングと取付リングとを取り外した状態で示している。  フロントフレーム１００の両端には、ヨロイ１０２及びヒンジ１０３を介して図示しないテンプルが折り畳み自在に取り付けられる。フロントフレーム１００には左右に保持枠１１０が設けられ、ブリッジ１０１によって連結されている。この保持枠１１０には、テストレンズＴを保持する回転リング３１０が、馬蹄形状の取付リング４１０を介して回転自在に取り付けられる。  保持枠１１０は、貫通孔１１０ａを有する本体１１０ｂと、この本体１１０ｂの貫通孔１１０ａの孔周縁に沿って、本体１１０ｂの平坦面（フランジ面）１１０ｄから立ち上る起立部１２０（図１３（ｄ）参照）とを有している。また、本体１１０ｂには、取付リング４１０を取り付けるためのねじ孔１１０ｃが形成されているとともに、回転リング３１０に形成された凹部３１０ｃと係合して回転リング３１０の回転角度位置を決定する突起１１０ｅが、ばねなどの弾性部によって、本体１１０ｂのフランジ面１１０ｄから弾性的に出没自在に設けられている。      
【０００４】
図１３（ｂ）は、テストレンズＴを保持する回転自在な回転リング３１０をその背面側から見た図である。円環状の回転リング３１０は、テストレンズＴを嵌め付けて保持するレンズ保持部３２０と、保持枠１１０のフランジ面１１０ｄと対面するリング状の本体３１０ｂの背面に均等間隔で形成された凹部３１０ｃとを有する。この回転リング３１０は、その貫通孔３１０ａに保持枠１１０の本体１１０ｂの起立部１２０が嵌め込まれることで、保持枠１１０に回転自在に外嵌される。
【０００５】
回転リング３１０が保持枠１１０から脱落しないように規制する取付リング４１０は、図１３（ｃ）(i)に示すように、保持枠１１０の外径と同径に形成された馬蹄状の本体４１０ｂを主構成要素とする。本体４１０ｂは、図１３（ｃ）(ii)に示すように、回転リング３１０の外周縁が嵌り込む溝４１０ａを有する断面逆Ｌ字状に形成されている。また、本体４１０ｂには孔４１０ｃが形成され、この孔４１０ｃを挿通させたねじを保持枠１１０の本体１１０ｂのねじ孔１１０ｃに螺入することで、取付リング４１０が保持枠１１０のフランジ面１１０ｄに固定される。
上記構成の検眼フレームにおいては、回転リング３１０は保持枠１１０の起立部１２０に外嵌され、取付リング４１０で保持枠１１０から脱落しないように規制された状態で、回転自在に保持枠１１０に取り付けられる。テストレンズＴは回転リング３１０のレンズ保持部３２０に保持される。
【０００６】
図１３に記載の検眼フレームでは、保持枠１１０のフランジ面１１０ｄに設けた突起１１０ｅと回転リング３１０に形成した凹部３１０ｃとが係合することで、回転リング３１０の回転角度位置が決定される。
一方、特許文献１、２に記載の検眼フレームでは、回転リングの外周囲に歯車状の凹凸を形成するとともに、この凹凸の凹部に係合する歯車状の凹凸の凸部を有する駆動ギアを保持枠に設けることで、回転リングの回転と回転角度の位置決めを行うようにしている。
【０００７】
ところで、従来の検眼フレームにおける左右のテストレンズの中心間距離の最小値は、テストレンズの直径が３６ｍｍ（リムを含めると３８ｍｍ）の場合、４８ｍｍ程度であった（例えば、特許文献３の段落００２０の記載参照）。一方、幼児の瞳孔間距離にはこれよりも小さいものがあるため、従来の検眼フレームでは幼児の正確な視力検査を行うことが困難な場合があった。
【先行技術文献】
【特許文献】
【０００８】
【特許文献１】実用新案登録第３０９０８５１号公報（例えば図３の記載参照）
【特許文献２】特開２００１−３４０２９６号公報（例えば段落０１２８の記載参照）
【特許文献３】特開２００４−２０８７０５号公報（段落００２０の記載参照）
【発明の開示】
【発明が解決しようとする課題】
【０００９】
このような問題を解決するための一つの方法として、保持枠１１０の幅ｔ２（図１３（ａ）参照）を小さくすることが考えられるが、保持枠１１０の幅ｔ２を小さくすると、保持枠１１０の剛性が低下して歪みによりテストレンズＴの位置が不安定になったり、検眼フレームの寿命を短くしたりするなどの問題が生じる。
また、他の方法として、テストレンズＴの直径を小さくすることが考えられるが、テストレンズＴの直径を小さくすると視野が狭くなったり、通常のテストレンズとは別に直径の小さいテストレンズＴを用意したりしなければならず、コスト高になるなどの問題が生じる。
本発明は、このような課題を解決するためになされたもので、通常のテストレンズを使用することができ、かつ、保持枠の剛性を維持したままでテストレンズの中心間距離を小さくすることが可能な検眼フレームの提供を目的とする。
【課題を解決するための手段】
【００１０】
上記課題を解決するために、本発明の発明者が鋭意研究を行ったところ、従来の検眼フレームにおいては、以下の要因によりテストレンズの中心間距離を小さくできないことが判明した。
すなわち、図１３に示したような従来の検眼フレームは、保持枠１１０の本体１１０ｂのフランジ面１１０ｄと回転リング３１０の背面との間に、回転リング３１０の回転角度の位置決め手段（フランジ面１１０ｄに設けた突起１１０ｅと回転リング３１０に形成した凹部３１０ｃ）を設けている。そのため、回転リング３１０及び保持枠１１０にはある程度の幅寸法（図１３（ｄ）において符号ｔ２で示す）が必要となる。また、回転リング３１０の脱落を規制するための取付リング４１０が必要であるため、その分だけ保持枠１１０の幅ｔ２が大きくなる。さらに、保持枠にはある程度の剛性が求められ、樹脂製の保持枠では４ｍｍ程度の最小実幅、アルミ製の保持枠では２ｍｍ程度の最小実幅を必要とするが、上記のように形成する分だけ保持枠の幅が大きくなり、そのため、これらの分だけテストレンズＴの中心間距離を小さくすることができない。
本発明の発明者は、従来の検眼フレームは保持枠のフランジ面やその外周縁に、回転リングの回転角度の位置決め手段や回転リングの取付手段を設けているため、この分だけテストレンズＴの中心間距離を小さくできなくなるとの結論に達し、本発明に想到した。
【００１１】
具体的に本発明は、左右のテストレンズを回転自在にフロントフレームの保持枠に保持する検眼フレームにおいて、本体と、この本体に設けられ前記保持枠の貫通孔内に嵌装される嵌装部と、この嵌装部に設けられ、前記嵌装部が前記貫通孔から抜脱しないように、かつ、前記嵌装部を前記保持枠に対して回転自在に取り付ける取付手段とを備え、前記嵌装部及び前記取付手段を介して前記保持枠に回転自在に保持される一つ又は複数の回転リングと、前記嵌装部と前記保持枠との間に設けられ、前記回転リングを所定の回転角度位置で位置決めする回転角度の位置決め手段とを有する構成としてある。
このように本発明において回転リングは、保持枠の貫通孔内に嵌装されて取り付けられる嵌装部を有し、この嵌装部に取付手段を設けるとともに、前記嵌装部と保持枠との間に回転角度の位置決めを行う位置決め手段を設けているため、保持枠の本体のフランジ面や外周に回転角度の位置決め手段や回転リングの取付手段を設ける必要が無くなり、保持枠の剛性を低下させることなく保持枠の幅を最小の寸法とすることができる。そして、これによって保持枠に保持されるテストレンズの中心間距離を小さくすることが可能になる。
【００１２】
また、本体と、この本体に設けられ前記貫通孔内に嵌装される嵌装部を備え、この嵌装部が前記貫通孔に嵌装された状態で前記保持枠に固定される固定リングをさらに有していてもよい。
【００１３】
さらに、前記回転リングの嵌装部は、直接保持枠に取り付けるようにしてもよいし、前記固定リングを介して前記保持枠に取り付けるようにしてもよい。複数の回転リングを有する場合は、別の回転リングを介して前記保持枠に設けるようにしてもよい。さらに、前記回転リングを前記保持枠、別の前記回転リング又は前記固定リングのいずれかに固定する固定手段を設け、この固定手段によって少なくとも一つの前記回転リングを前記保持枠、別の前記回転リング又は前記固定リングに対して固定できるように構成してもよい。このようにすることで、前記固定手段を用いることで前記回転リングを前記保持枠、別の前記回転リング又は前記固定リングのいずれかに固定した固定リングとして転用することも可能になるうえ、前記固定手段によって簡単に前記回転リングと前記固定リングとを切り替えることが可能になる。
【００１４】
前記回転リングを前記保持枠に対して回転自在に取り付ける取付手段は、例えば前記回転リングの嵌装部に形成された係合部と、前記保持枠、前記固定リングの嵌装部又は前記回転リングとは別の回転リングの嵌装部に形成され前記係合部と係合する被係合部とから構成されるものとしてもよい。前記回転リングの嵌装部に磁石又は磁石に磁着する磁着体（磁石を含む）を設け、前記保持枠、前記固定リングの嵌装部又は前記回転リングとは別の回転リングの嵌装部に磁着体又は磁石を設けて、前記磁石と前記磁着体との磁着作用によって。前記回転リングを前記保持枠に対して回転自在に取り付けるようにしてもよい。
前記回転角度の位置決め手段は、例えば前記回転リングの嵌装部と前記保持枠との間、前記回転リングと別の前記回転リングの嵌装部同士の間又は前記固定リングの嵌装部と前記回転リングの嵌装部との間に設けられている構成としてもよい。
前記回転角度の位置決め手段としては、前記回転リングを所定の回転角度位置で位置決めできるものであればよく、前記回転リングの嵌装部と前記保持枠との間の摩擦、前記回転リングと別の前記回転リングの嵌装部同士の間の摩擦、前記固定リングの嵌装部と前記回転リングの嵌装部との間の摩擦によって位置決めを行うものであってもよいし、前記回転リングの嵌装部、別の前記回転リングの嵌装部、前記固定リングの嵌装部又は前記保持枠の貫通孔の内周面に形成された複数の凹部と、前記回転リングの嵌装部、別の前記回転リングの嵌装部、前記固定リングの嵌装部又は前記保持枠の貫通孔の内周面に形成された前記凹部と係合する少なくとも一つの突起とから構成されるものであってもよい。例えば、図１３に示すような凹部（３１０ｃ）と突起（１１０ｅ）との係合によって位置決めを行うものであってもよいし、歯車状の凹凸と、この歯車状の凹凸の凹部と係合する突起であってもよい。
さらに、前記回転リングの嵌装部、別の前記回転リングの嵌装部、前記固定リングの嵌装部又は前記保持枠の貫通孔の内周面に磁石を設け、この磁石に磁着する磁着体を、前記回転リングの嵌装部、別の前記回転リングの嵌装部、前記固定リングの嵌装部、前記保持枠の貫通孔の内周面に設けてもよい。前記回転リングの嵌装部、別の前記回転リングの嵌装部、前記固定リングの嵌装部、前記保持枠の貫通孔の内周面を鉄などの磁着性を有する磁着体で形成してもよい。このような磁石及び磁着体を利用すれば、前記取付手段と前記回転位置決め手段とを兼用させることができる。
【００１５】
本発明においては、特に左右のテストレンズの中心間距離を小さく設定する場合には、回転リングや固定リングは保持枠の外周の全周に亘って張り出さない構成としてもよいが、少なくとも回転リングが回転する範囲内で他方の保持枠の回転リングや固定リングと干渉しないようにすればよく、当該範囲内で回転リングや固定リングが保持枠の外周から張り出さないようにすればよい。すなわち、前記回転リングの本体又は前記固定リングの本体は、左右の前記保持枠に保持された前記回転リング又は前記固定リングが互いに干渉しないように、少なくとも一部において前記保持枠よりも外側に張り出さないように形成するとよい。また、左右の前記保持枠が近接する部分の幅を、他の部分よりも小幅に形成してもよい。
【００１６】
本発明では、前記保持枠の本体のフランジ面や外周に回転角度の位置決め手段や回転リングの取付手段を設ける必要がないことから、保持枠の本体の外形を円形とする必要が無くなる。そのため、保持枠の剛性を維持したままで、請求項６に記載するように左右の保持枠が近接する部分の幅を部分的に小幅とすることが可能になり、小幅にできる分だけ中心間距離を小さくすることができる。
【００１７】
本発明においては、例えばテストレンズの直径が３８ｍｍの場合において保持枠の最小幅が２ｍｍずつであれば、左右の保持枠が近接する部分を接触するまで接近（連続）させることで、中心間距離を４２ｍｍまで小さくすることができる。また、保持枠の全体的な剛性に影響を与えない範囲内で当該部分の幅を１ｍｍずつとすれば、中心間距離を４０ｍｍまで小さくすることができる。
【発明を実施するための最良の形態】
【００１８】
［第一の実施形態］
本発明の検眼フレームの好適な第一の実施形態を、図面を参照しながら詳細に説明する。
［フロントフレーム］
図１は、本発明の検眼フレームの第一の実施形態にかかるフロントフレームの構成を説明する図で、（ａ）はその正面図、（ｂ）は（ａ）のＸ−Ｘ方向断面図である。
本発明の検眼フレームのフロントフレーム１は、樹脂又は金属で形成され、図示しないテストレンズを保持する左右のリング状の保持枠１１と、これら左右の保持枠１１を連結するブリッジ１０１と、左右の保持枠１１の端部に形成されたヨロイ１０２とを有する。また、左右の保持枠１１０は、ヨロイ１０２を介して折り畳み自在に図示しないテンプルが連結される。
左右の保持枠１１は、貫通孔１１ａを有し、図示するように接触する程度まで近接して配置されている。ブリッジ１０１に公知の間隙調整手段を設け、この間隙調整手段によって左右の保持枠１１間の間隙を調整できるようにしてもよい。また、保持枠１１の幅ｔ１のうち、左右の保持枠１１が最も近接する近接部分Ａにおける幅を、保持枠１１の剛性に悪影響を与えない範囲内で、他の部分よりも小幅としてもよい。
ねじ孔１１ｃは、後述する固定リング２１を取り付けるために保持枠１１のフランジ面１１ｄに形成されたものであるが、保持枠１１の幅ｔ１を可能な限り小さくできるようにするために、図１に示すようにヨロイ１０２やブリッジ１０１が形成された部分に形成するのがよい。
【００１９】
［固定リング］
図２は、本発明の検眼フレームの第一の実施形態にかかる固定リングの構成を説明する図で、（ａ）はその正面図、（ｂ）はその側面図、（ｃ）は（ｂ）のＩ部の部分拡大断面図、（ｄ）はその背面図である。
保持枠１１の背面に取り付けられる固定リング２１は、樹脂又は金属で形成され、保持枠１１の外形と同じ形状に形成されたリング状の本体２１ｂと、この本体２１ｂの貫通孔２１ａの内周縁から前方（図２（ｂ）において紙面の左方）に張り出すとともに、保持枠１１の貫通孔１１ａの内周面と接する嵌装部２１１と、貫通孔２１ａの内周縁から後方に張り出し二段のレンズ保持溝２１２ａを備えたレンズ保持部２１２とを有している。嵌装部２１１は、保持枠１１の貫通孔１１ａの内周面に沿うように、貫通孔１１ａの全周に亘って形成してもよいが、その一部を切り欠いたり複数に分割したりしてもよい。
【００２０】
本体２１ｂの保持枠１１におけるブリッジ１０１とヨロイ１０２のねじ孔１１ｃに対応する部分には孔２１ｃが形成され、この孔２１ｃを挿通させたねじを保持枠１１のねじ孔１１ｃに螺入することによって、固定リング２１が保持枠１１に固定される。嵌装部２１１には、図２（ｃ）に示すように、その内周面の端部から径方向内側に突出する凸部２１１ａが前記内周面の全周に亘って形成され、後述する回転リング３１の嵌装部３１１に形成された凹部３１１ａと係合するようになっている。また、凸部２１１ａと本体２１ｂとの間に形成された溝の底部には、後述する回転リング３１の嵌装部３１１の外周囲に形成された歯車状の凹凸の凹部３１１ｂと係合する突起２１１ｅが少なくとも一つ形成されている。
【００２１】
［回転リング］
図３は、本発明の検眼フレームの第一の実施形態にかかる回転リングの構成を説明する図で、（ａ）はその正面図、（ｂ）はその側面図、（ｃ）は（ｂ）のII部の部分拡大断面図、（ｄ）はその背面図である。
保持枠１１に回転自在に嵌め込まれる回転リング３１は、樹脂又は金属で形成され、保持枠１１の外周縁より張り出さない外形を有するリング状の本体３１ｂと、この本体３１ｂの後方（図３（ｂ）において紙面の右方）に張り出すとともに、保持枠１１の貫通孔１１ａ内で固定リング２１の嵌装部２１１の内周面と摺接する嵌装部３１１とを有する。嵌装部３１１には、固定リング２１の凸部２１１ａと係合する凹部３１１ａが形成されている。
【００２２】
この実施形態では、回転リング３１の嵌装部３１１を保持枠１１の貫通孔１１ａ内に挿入したときに、嵌装部３１１が縮径して凹部３１１ａと固定リング２１の凸部２１１ａとを係合させやすくするために、嵌装部３１１には径方向に伸びるスリット３１１ｃを均等間隔で複数箇所に形成している。
また、嵌装部３１１の外周囲には、歯車状の凹凸が全周に亘って形成されていて、固定リング２１の突起２１１ｅがこの歯車状の凹凸の凹部３１１ｂに係合することで、回転リング３１の回転角度位置が決定されるようになっている。隣り合う凹部３１１ｂを例えば５度間隔で形成することで、回転リング３１は５度刻みで回転角度位置を調整することができる。
【００２３】
［組立体］
図４は、本発明の第一の実施形態にかかる検眼フレームの組立体の構成を説明する図で、（ａ）は図１のフロントフレーム１の保持枠１１に図２の固定リング２１及び図３の回転リング３１を装着したときの正面図、（ｂ）はその側面断面図、（ｃ）は（ｂ）のIII部の部分拡大断面図である。
まず、固定リング２１の嵌装部２１１を保持枠１１の背面側から貫通孔１１ａ内に挿入し、固定リング２１の孔２１ｃを挿通させたねじを保持枠１１のねじ孔１１ｃに螺入して、保持枠１１の背面に固定リング２１を取り付ける。次いで、回転リング３１の嵌装部３１１を保持枠１１の前方側から固定リング２１の貫通孔２１ａ内に挿入する。このとき、スリット３１１ｃの作用によって嵌装部３１１が僅かに縮径して、固定リング２１の凸部２１１ａが回転リング３１の凹部３１１ａに嵌り込む。これにより、回転リング３１が固定リング２１を介して保持枠１１に回転自在に取り付けられる。回転リング３１の回転角度位置は、回転リング３１の嵌装部３１１に形成された歯車状の凹凸の凹部３１１ｂと固定リング２１の嵌装部２１１に形成された突起２１１ｅとが係合することで位置決めされる。
【００２４】
固定リング２１及び回転リング３１には保持枠１１の外周縁から張り出す部分が無く、かつ、保持枠１１には、そのフランジ面１１ｄや外周囲に回転角度の位置決め手段（図１３の凹部３１０ｃ及び突起１１０ｅに相当する手段）及び固定リング２１や回転リング３１を取り付けるための取付手段（図１３の取付リング４１０に相当する手段）が設けられていないので、回転リング３１のレンズ保持部３１２又は固定リング２１のレンズ保持部２１２に保持されるテストレンズＴの中心間距離Ｌは、テストレンズＴの直径と、左右の保持枠１１，１１間の間隙寸法と、保持枠１１の幅ｔ１とによって決定される。左右の保持枠１１は互いに接触（連続）するまで（つまり前記間隙寸法が０になるまで）近接させることが可能であるため、例えば保持枠１１の幅ｔ１が２ｍｍでテストレンズＴの直径が３８ｍｍである場合には、４２ｍｍまで中心間距離Ｌを小さくすることができる。近接部分Ａ（図１参照）における保持枠１１の幅ｔ１を部分的に１ｍｍ程度まで小さくすれば、中心間距離Ｌを４０ｍｍ程度まで小さくすることが可能である。
【００２５】
［第二の実施形態］
上記した第一の実施形態では、固定リング２１を介して保持枠１１に回転リング３１を回転角度位置調整自在に取り付けている。
図５（ａ）（ｂ）は、固定リング２１を設けないで一つの回転リング３２，３２′を保持枠１２，１２′に取り付けた第二の実施形態を示したもので、図４（ｃ）のIII部の部分拡大断面図に相当する部分の図である。
図５（ａ）の例の回転リング３２は、テストレンズＴを保持する一段のレンズ保持溝３２２ａが形成されたレンズ保持部３２２を有するリング状の本体３２ｂと、この本体３２ｂに形成され保持枠１２の貫通孔１２ａに挿入される嵌装部３２１とを備えている。嵌装部３２１には、保持枠１２の肉厚ｓと同じ溝幅の凹部３２１ａが形成されている。また、嵌装部３２１には、第一の実施形態の回転リング３１と同様にスリット３２１ｃを設けるとよい。そして、保持枠１２の前方側から挿入した嵌装部３２１の凹部３２１ａを保持枠１２の貫通孔１２ａの内周縁に嵌合させることで、回転リング３２が保持枠１２に回転自在に取り付けられる。また、嵌装部３２１の外周には歯車状の凹凸が形成されているとともに、この歯車状の凹凸の凹部３２１ｂと係合する突起１２ｅが保持枠１２の裏面に突出形成され、突起１２ｅと凹部３２１ｂとが係合することで、回転リング３２が所定の回転角度位置で位置決めされるようになっている。
【００２６】
図５（ｂ）は図５（ａ）の実施形態の変形例である。図５（ｂ）において図５（ａ）に対応する部材及び部位には「′」を付して、詳細な説明は省略する。この変形例では、保持枠１２′の貫通孔１２ａ′の内周面の一部を全周に亘って切り欠いて切欠き部１２ｆ′を形成している。また、回転リング３１′のリング状の本体３２ｂ′に形成された嵌装部３２１′には、切欠き部１２ｆ′を形成することで保持枠１２′の貫通孔１２ａ′に形成された凸部１２ｇ′と係合する凹部３２１ａ′が形成されている。また、回転リング３１′の嵌装部３２１′に形成された歯車状の凹凸の凹部３２１ｂ′と係合する突起１２ｅ′が、切欠き部１２ｆ′の底部に形成されている。そして、この突起１２ｅ′が凹部３２１ｂ′と係合することで、回転リング３２′が所定の回転角度位置で位置決めされるようになっている。なお、この図５（ｂ）の実施形態では、第一の実施形態の回転リング３１をそのまま利用することも可能である。
【００２７】
［第三の実施形態］
図６は、第一の実施形態の固定リング２１の代わりに、別の回転リング３３を保持枠１３に取り付けた第三の実施形態を示したもので、図４（ｃ）のIII部の部分拡大断面図に相当する部分の図である。
図６の例において一方の回転リング３１は第一の実施形態の回転リング３１と同じものを用いているため、図６において第一の実施形態の回転リング３１と同一の符号を付して、以下の説明では詳細な説明は省略する。また、別の回転リング３３の基本構成は第一の実施形態の固定リング２１と同じであるが、保持枠１３に固定されずに回転自在になっている点で異なる。
別の回転リング３３のリング状の本体３３ｂには、第一の実施形態の固定リング２１と同様に、テストレンズＴを保持する二段のレンズ保持溝３３２ａが形成されたレンズ保持部３３２、保持枠１３の貫通孔１３ａに嵌装される嵌装部３３１、回転リング３１の凹部３１１ａと係合する凸部３３１ａ及び回転リング３１の歯車状の凹凸の凹部３１１ｂと係合する突起３３１ｅが形成されている。
また、嵌装部３３１には、保持枠１３の貫通孔１３ａの内周面と摺接する側の面に、全周に亘って歯車状の凹凸が形成されているとともに、歯車状の凹凸の凹部３３１ｂと係合する突起１３ｅが保持枠１３の貫通孔１３ａの内周面の少なくとも一カ所に形成されている。そして、突起１３ｅが凹部３３１ｂと係合することで、回転リング３３が所定の回転角度位置で位置決めされるようになっている。
なお、嵌装部３３１を縮径させることで回転リング３３を回転しやすくするために、回転リング３１のスリット３１１ｃと同様のスリット３３１ｃを嵌装部３３１に形成するとよい。
この実施形態では、回転リングが２つあることで乱視用テストレンズとプリズム用テストレンズを別々に角度調整することができる点で有利である。
【００２８】
［第四の実施形態］
図７は、本発明の第四の実施形態である。図７（ａ）の例では、第一の実施形態と同様に、保持枠１４の一側（図の左側）に回転リング３４が回転自在に取り付けられ、他側（同右側）に固定リング２４が取り付けられている。回転リング３４の基本構成は第一の実施形態の回転リング３１又は第三の実施形態の回転リング３３と同じであるが、この実施形態では回転リング３４と固定リング２４とは互いに係合せずに、それぞれが保持枠１４と直接係合することで取り付けられている。
この実施形態では、保持枠１４の貫通孔１４ａの内周面に凹溝部１４ｆを形成することで前記内周面の前後周縁に凸部が形成されている。そして、この凸部の一方に回転リング３４の嵌装部３４１の凹部３４１ａを係合させ、前記凸部の他方に固定リング２４の嵌装部２４１の凹部２４１ａを係合させることで、回転リング３４及び固定リング２４のそれぞれが別々に保持枠１４に取り付けられる。
凹溝部１４ｆの底部には、一つ又は複数の突起１４ｅが形成され、回転リング３４の嵌装部３４１の外周に形成された歯車状の凹凸の凹部３４１ｂが、この突起１４ｅに係合することで、回転リング３４の回転角度の位置決めが行えるようになっている。
この実施形態では、固定リング２４の代わりに、第三の実施形態と同様に別の回転リングを取り付けてもよい。また、図７（ａ）に示すように、固定リング２４の嵌装部２４１の外周に歯車状の凹凸を形成し、この凹凸の凹部２４１ｂを突起１４ｅに係合させるようにしてもよい。このようにすることで、固定リング２４を保持枠１４に取り付けているねじを取り外すことで、固定リング２４をそのまま回転リングとして利用することが可能になる。
図７（ｂ）の例は、保持枠１４′の一側のみに図７（ａ）の回転リング３４と同じ回転リング３４を回転自在に取り付けた図７（ａ）の例の変形例である。図７（ａ）の例と同様に、保持枠１４′の貫通孔１４ａ′の内周面に凹溝部１４ｆ′が形成され、この凹溝部１４ｆ′を形成することで前記内周面の前周縁に形成された凸部に、回転リング３４の嵌装部３４１の凹部３４１ａが係合するようにしている。また、凹溝部１４ｆ′の底部には、一つ又は複数の突起１４ｅ′が形成され、回転リング３４の嵌装部３４１に形成された歯車状の凹凸の凹部３４１ｂがこの突起１４ｅ′に係合することで、回転リング３４の回転角度の位置決めが行えるようにしている。
【００２９】
［第五の実施形態］
図８は本発明の第五の実施形態にかかり、図４（ｃ）のIII部の部分拡大断面図に相当する部分の部分拡大断面図、図９は本発明の第五の実施形態において二つの回転リングと一つの固定リングを組み付けた保持枠の斜視図である。
この第五の実施形態では、保持枠１５の貫通孔１５ａに嵌装された固定リング２５及び回転リング３５の他に、さらに別の回転リング３５′を回転リング３５と固定リング２５に対して回転自在に設けている。
この実施形態の回転リング３５の本体３５ｂには、固定リング２５の貫通孔２５ａに嵌装される嵌装部３５１が形成されている。回転リング３５と固定リング２５との係合の形態は、図４に示した第一の実施形態の回転リング３１と固定リング２１との係合の形態と同じで、回転リング３５の嵌装部３５１に形成された凹部３５１ａと、固定リング２５の嵌装部２５１に形成された凸部２５１ａとが係合することで、固定リング２５に回転リング３５が組み付けられる。また、回転リング３５の嵌装部３５１に形成された歯車状の凹凸の凹部３５１ｂと固定リング２５の嵌装部２５１に形成された突起２５１ｅとが係合することで、保持枠１５に対する回転リング３５の回転角度位置が決定される。
この実施形態の固定リング２５の本体２５ｂの端部には、一段のレンズ保持部溝２５２ａを有するレンズ保持部２５２が設けられ、このレンズ保持部２５２と嵌装部２５１との間に、別の回転リング３５′のリング状の本体３５ｂ′に形成されたレンズ保持部３５２′が挿入される溝２５２ｂが形成されている。回転リング３５′のレンズ保持部３５２′を固定リング２５の溝２５２ｂに嵌め付やすくするために、回転リング３５′の本体３５ｂ′は例えば馬蹄形とするとよい。
回転リング３５の嵌装部３５１に形成された凹部３５１ａの径方向の反対側、つまり嵌装部３５１の貫通孔３５ａの内周面側には、前記内周面の全周に亘って凸部３５１ｄが形成されている。また、この凸部３５１ｄと係合する凹部３５１ａ′が別の回転リング３５′の嵌装部３５１′の全周に沿って形成されている。回転リング３５の凸部３５１ｄの外周囲には、全周に亘って歯車状の凹凸が形成され、この歯車状の凹凸の凹部３５１ｇと係合する少なくとも一つの突起３５１ｅ′が、別の回転リング３５′の凹部３５１ａ′の底部に形成されていて、凹部３５１ｇと突起３５１ｅ′とが係合することで、保持枠１５又は回転リング３５に対する別の回転リング３５′の回転角度位置が決定される。
なお、この第五の実施形態においては、第三の実施形態のように、固定リング２５は回転リングであってもよい。
【００３０】
［第六の実施形態］
図１０は本発明の第六の実施形態にかかり、固定リングに別の回転リングを組み付けた図４（ｃ）のIII部の部分拡大断面図に相当する部分の部分拡大断面図である。
この第六の実施形態では、第一の実施形態と同じ保持枠１１に第一の実施形態と同じ回転リング３１を取り付けている。また、回転リング３１には、第一の実施形態の固定リング２１の嵌装部２１１，凸部２１１ａ，突起２１１ｅのそれぞれと同じ嵌装部２６１，凸部２６１ａ，突起２６１ｅを有する固定リング２６を組み付けている。この実施形態の固定リング２６のリング状の本体２６ｂは、一段のレンズ保持溝２６２ａが形成されたレンズ保持部２６２を有していて、このレンズ保持部２６２にはさらに別の回転リング３６が回転自在に取り付けられている。
別の回転リング３６は、テストレンズＴを保持するレンズ保持溝３６２ａが形成されたリング状の本体３６ｂと、この本体３６ｂから固定リング２６側に延出して形成され、固定リング２６に対して回転リング３６を回転自在に連結する連結部３６１とを有している。
連結部３６１の端部には、凸部３６１ａが連結部３６１の全周に亘って形成されているとともに、固定リング２６のレンズ保持部２６２には、凸部３６１ａと係合する凹溝部２６２ｆが形成されている。回転リング３６の凸部３６１ａと固定リング２６の凹溝部２６２ｆとを係合しやすくするために、連結部３６１には先の実施形態と同様のスリット３６１ｃを形成するとよい。連結部３６１の凸部３６１ａには、その全周に亘って歯車状の凹凸が形成され、前記歯車状の凹凸の凹部３６１ｂと係合する突起２６２ｅが凹溝部２６２ｆの底部に少なくとも一つ形成されている。
この第六の実施形態においても、固定リング２６の代わりに回転リングを用いてもよいし、回転リング３６を固定リング２６又は前記回転リングに対して回転しないように取り付けてもよい。
【００３１】
上記の第一〜第六の実施形態で説明したように、本発明では、回転リング・固定リング・回転リングの組み合わせ、回転リング・回転リング・回転リングの組み合わせ、回転リング・回転リング・固定リングの組み合わせ、回転リング・固定リング・固定リングの組み合わせなど、あらゆる組み合わせが可能である。また、四つ以上の回転リングと固定リング又は回転リングと回転リングの組み合わせも可能である。
【００３２】
［第七の実施形態］
図１１は本発明の第七の実施形態にかかり、取付手段及び回転角度の位置決め手段として磁石と磁着体を用いた図４（ｃ）のIII部の部分拡大断面図に相当する部分の部分拡大断面図である。
上記した第一〜第六の実施形態では、固定リング２１等の嵌装部２１１等に形成した凸部２１１ａ等と、回転リング３１等の嵌装部３１１等に形成した凹部３１１ａ等との係合により、保持枠１１等に回転リング３１等を回転自在に取り付け、回転リング３１等の嵌装部３１１等に形成した歯車状の凹凸の凹部３１１ｂ等と固定リング２１等の嵌装部２１１等に形成した突起２１１ｅ等とが係合することで、回転リング３１等の回転角度位置の位置決めを行うようにしている。
この第七の実施形態では、磁石３７１ｂとこれに磁着する磁着体２７１ｅとにより、回転リング３７を保持枠１１に回転自在に取り付けるとともに、磁石３７１ｂ及び磁着体２７１ｅの作用によって、回転リング３７の回転角度位置を位置決めできるようにしている。
この第七の実施形態では、第一の実施形態と同じ保持枠１１を用いている。そして、第一の実施形態と同様に、保持枠１１の一側（図の左側）に回転リング３７が回転自在に取り付けられ、他側（同右側）に固定リング２７が取り付けられている。固定リング２７は、テストレンズＴを保持する二段のレンズ保持溝２７２ａが形成されたレンズ保持部２７２を備える本体２７ｂと、保持枠１１の貫通孔１１ａに嵌装される嵌装部２７１とを有している。回転リング３７は、一段のレンズ保持溝３７２ａが形成されたレンズ保持部３７２を備える本体３７ｂと、固定リング２７の貫通孔２７ａに嵌装される嵌装部３７１とを有している。
固定リング２７の嵌装部２７１と回転リング３７の嵌装部３７１とは面接触状態で接触していて、固定リング２７の嵌装部２７１と接触する回転リング３７の嵌装部３７１の接触面には磁石３７１ｂが設けられ、固定リング２７の嵌装部２７１の接触面にはこの磁石３７１ｂと磁着する磁着体２７１ｅが設けられる。
磁着体２７１ｅとしては、磁石３７１ｂと磁着する性質のものであれば鉄などの金属であってもよく、磁石であってもよい。回転リング３７の嵌装部３７１又は固定リング２７の嵌装部２７１そのものを磁着性の金属で形成してもよい。
粒状の磁石３７１ｂ及び磁着体２７１ｅを回転リング３７の嵌装部３７１及び固定リング２７の嵌装部２７１の内周面の周方向に沿って、例えば５度間隔に配置して設けることで、回転リング３７は５度刻みで回転角度位置を調整することができる。
また、リング状の磁石３７１ｂ及びリング状の磁着体２７１ｅを、回転リング３７の嵌装部３７１の内周面及び固定リング２７の嵌装部２７１の内周面の全周に亘って設ければ、磁石３７１ｂ及び磁着体２７２ａとの磁着による摩擦力により、任意の回転角度位置で回転リング３７を位置決めすることが可能になる。
上記した磁石３７１ｂと磁着体２７１ｅとによって回転リング３７を回転角度の位置決め可能に保持枠１１に取り付ける構成は、第一〜第六の実施形態の回転リング３１等にも適用が可能である。この場合は、回転リング３１等と固定リング２１等との間、回転リング３２等と保持枠１２等との間、回転リング３１等と別の回転リング３３等との間、固定リング２６等と別の回転リング３６等との間に磁石と磁着体とを設ければよい。
さらに、第一〜第六の実施形態における回転リング３１等を保持枠１１等に取付ける取付手段（凸部２１１ａ等と凹部３１１ａ等）、保持枠１１等に対する回転角度位置の位置決め手段（歯車状の凹凸の凹部３１１ｂ等と突起２１１ｅ等）とともに前記磁石及び前記磁着体を用いてもよい。
【００３３】
［第八の実施形態］
上記した第一〜第六の実施形態では、回転リング３１等に歯車状の凹凸の凹部３１１ｂ等を形成し、固定リング２１等又は保持枠１２等にこれと係合する突起２１１ｅ，１２ｅ等を形成するものとしている。この実施形態では、図１３に示すような凹部（図１３の符号３１０ｃの凹部）と突起（同符号１１０ｅの突起）との係合によって回転リングの回転角度の位置決めを行うようにしている。
図１２は本発明の第八の実施形態にかかり、図１３に示すような凹部と突起との係合によって回転角度の位置決めを行うようにした別の回転角度の位置決め手段の部分拡大断面図である。
回転リング３８の嵌装部３８１に形成された凹部３８１ａと固定リング２８の嵌装部２８１に形成された凸部２８１ａとが係合することで、固定リング２８に回転リング３８が組み付けられる構成は、第一の実施形態〜第六の実施形態と同じである。
この第八の実施形態では、固定リング２８の本体２８ｂに、ばねなどの弾性部材によって固定リング２８の貫通孔２８ａの内周面から出没する突起２８１ｅが設けられ、回転リング３８の嵌装部３８１には、この突起２８１ｅと係合する凹部３８１ｃ、嵌装部３８１の外周面に均等間隔で形成されている。凹部３８１ｃを例えば５度間隔で形成することで、回転リング３８は５度刻みで回転角度位置を調整することができる。
回転リング３８の嵌装部３８１側に突起を設け、固定リング２８の本体２８ｂ側に凹部を形成してもよい。
上記した凹部３８１ｃ及び突起２８１ｅによって回転リング３８を回転角度の位置決めを行う構成は、第一〜第七の実施形態の回転リング３１等にも適用が可能である。この場合は、回転リング３１等と固定リング２１等との間、回転リング３２等と保持枠１２等との間、回転リング３１等と別の回転リング３３等との間、固定リング２６等と別の回転リング３６等との間に凹部と突起とを設ければよい。
【００３４】
本発明の好適な実施形態について説明したが、本発明は上記の説明によって限定されるものではない。
例えば、上記の第一の実施形態では、フロントフレーム１の前方に回転リング３１を配置し、後方に固定リング２１を配置しているが、この配置は逆であってもよい。
また、固定リング２１等はねじによって保持枠１１等に固定するものとして説明したが、磁石などの他の手段によって固定するようにしてもよい。
また、回転角度の位置決め手段として、回転リング３１等に歯車状の凹凸の凹部３１１ｂ等を形成し、固定リング２１等又は保持枠１１等にこれと係合する突起２１１ｅ等を形成するものとして説明したが、固定リング２１等側又は保持枠１２等側に歯車状の凹凸の凹部を設け、回転リング３１等側にこれと係合する突起を設けるようにしてもよい。また、第五の実施形態では、回転リング３５側に歯車状の凹凸を設け、別の回転リング３５′に前記歯車状の凹凸の凹部３５１ｇと係合する突起３５１ｅ′を形成しているが、別の回転リング３５′側に歯車状の凹凸の凹部を形成し、回転リング３５側に前記歯車状の凹凸の凹部と係合する突起を形成してもよい。
さらに、回転角度の位置決め手段は、歯車状の凹凸の凹部及びこれと係合する突起に限らず、回転角度の位置決めを行うことができるものであれば他の形態であってもよい。例えば、固定リング２１等と回転リング３１等との摺接面、回転リング３２等と保持枠１２等との摺接面又は回転リング３１，３３同士，３５，３５′同士の摺接面における摩擦により、無段階に回転角度の位置決めを行えるようにしてもよい。
また、固定リング２１等は左右別々に設けるものとして説明したが、例えばブリッジ等の接続部で左右を一体的に接続したものであってもよい。この場合、回転リング３１等に係合手段等で取り付けることで、保持枠１１等にねじ等で取り付け無くても、抜脱せず、かつ、保持枠１１等に対して回転しない。なお、この場合は保持枠１１等に対して固定リング２１等を回転しないように取り付ける取付手段は、この「接続部」が相当する。
また、本発明はテンプル等を含んだ眼鏡型の検眼フレームに限らず、装置型の検眼フレームにも適用が可能である。
【図面の簡単な説明】
【００３５】
【図１】本発明の検眼フレームの第一の実施形態にかかるフロントフレームの構成を説明する図で、（ａ）はその正面図、（ｂ）は（ａ）のＸ−Ｘ方向断面図である。
【図２】本発明の検眼フレームの第一の実施形態にかかる回転リングの構成を説明する図で、（ａ）はその正面図、（ｂ）はその側面図、（ｃ）は（ｂ）のＩ部の部分拡大断面図、（ｄ）はその背面図である。
【図３】本発明の検眼フレームの第一の実施形態にかかる固定リングの構成を説明する図で、（ａ）はその正面図、（ｂ）はその側面図、（ｃ）は（ｂ）のII部の部分拡大断面図、（ｄ）はその背面図である。
【図４】本発明の検眼フレームの第一の実施形態にかかる組立体の構成を説明する図で、（ａ）は図１のフロントフレーム１の保持枠に図２の固定リング及び図３の回転リングを装着したときの正面図、（ｂ）はその側面断面図、（ｃ）は（ｂ）のIII部の部分拡大断面図である。
【図５】本発明の第二の実施形態にかかり、図４（ｃ）のIII部の部分拡大断面図に相当する部分の部分拡大断面図である。
【図６】本発明の第三の実施形態にかかり、図４（ｃ）のIII部の部分拡大断面図に相当する部分の部分拡大断面図である。
【図７】本発明の第四の実施形態にかかり、（ａ）と（ｂ）は図４（ｃ）のIII部の部分拡大断面図に相当する部分の部分拡大断面図である。
【図８】本発明の第五の実施形態にかかり、図４（ｃ）のIII部の部分拡大断面図に相当する部分の部分拡大断面図である。
【図９】本発明の第五の実施形態にかかり、二つの回転リングと一つの固定リングを組み付けた保持枠の斜視図である。
【図１０】本発明の第六の実施形態にかかり、固定リングに回転リングを組み付けた図４（ｃ）のIII部の部分拡大断面図に相当する部分の部分拡大断面図である。
【図１１】本発明の第七の実施形態にかかり、取付手段及び回転角度の位置決め手段として磁石と磁着体を用いた図４（ｃ）のIII部の部分拡大断面図に相当する部分の部分拡大断面図である。
【図１２】本発明の第八の実施形態にかかり、図１３に示すような凹部と突起との係合によって回転角度の位置決めを行うようにした別の回転角度の位置決め手段の部分拡大断面図である。
【図１３】従来の検眼フレームの一例を示す図で、（ａ）はその全体構成を説明する正面図、（ｂ）は回転リングの背面図、（ｃ）(i)は取付リングの正面図、（ｃ）(ii)は(i)のＹ−Ｙ方向断面図、（ｄ）は（ａ）のＸ−Ｘ方向の拡大断面図である。
【符号の説明】
【００３６】
１        フロントフレーム
１１，１２，１２′，１３，１４，１４′，１５      保持枠
１１ａ，１２ａ，１２ａ′，１３ａ，１４ａ，１４ａ′，１５ａ    貫通孔
１２ｅ，１２ｅ′，１３ｅ，１４ｅ，１４ｅ′        突起
１１ｃ    ねじ孔
１１ｄ    フランジ面
１２ｆ′    切欠き部
１２ｇ′    凸部
１４ｆ，１４ｆ′，２６２ｆ    凹溝部
１０１      ブリッジ
１０２      ヨロイ
１０３      ヒンジ
２１，２４，２５，２６，２７，２８              固定リング
２１ａ，２５ａ，２７ａ，２８ａ    貫通孔
２１ｂ，２５ｂ，２６ｂ，２７ｂ，２８ｂ      本体
２１ｃ    孔
２１１，２４１，２５１，２６１，２７１，２８１      嵌装部
２１１ａ，２５１ａ，２６１ａ，２８１ａ      凸部
２１１ｅ，２５１ｅ，２６１ｅ，２６２ｅ，２８１ｅ    突起
２７１ｅ                        磁着体
２１２，２５２，２６２，２７２          レンズ保持部
２１２ａ，２５２ａ，２６２ａ，２７２ａ    レンズ保持溝
３１，３２，３２′，３４，３５，３７，３８        回転リング
３３，３５′，３６                別の回転リング
３１ｂ，３２ｂ，３２ｂ′，３３ｂ，３５ｂ，３５ｂ′，３６ｂ，３７ｂ  本体
３１１，３２１，３２１′，３３１，３４１，３５１，３５１′，３７１，３８１  嵌装部
３６１            連結部
３１１ａ，３２１ａ，３２１ａ′，３４１ａ，３５１ａ，３５１ａ′，３８１ａ，２４１ａ                                  凹部
３３１ａ，３５１ｄ，３６１ａ          凸部
２４１ｂ，３１１ｂ，３２１ｂ，３２１ｂ′，３３１ｂ，３４１ｂ，３５１ｂ，３５１ｇ，３６１ｂ    歯車状の凹凸の凹部
３７１ｂ                        磁石
３１１ｃ，３２１ｃ，３２１ｃ′，３３１ｃ，３６１ｃ    スリット
３１２，３２２，３２２′，３３２，３５２′，３７２      レンズ保持部
３１２ａ，３２２ａ，３２２ａ′，３３２ａ，３６２ａ，３７２ａ    レンズ保持溝
３３１ｅ，３５１ｅ′    突起
３８１ｃ                凹部
Ａ        近接部分
Ｆ        検眼フレーム
Ｌ        テストレンズの中心間距離
Ｔ        テストレンズ
ｓ        保持枠の肉厚
ｔ１，ｔ２      保持枠の幅
【図１】
2020146110.tif 000003
【図２】
2020146110.tif 000004
【図３】
2020146110.tif 000005
【図４】
2020146110.tif 000006
【図５】
2020146110.tif 000007
【図６】
2020146110.tif 000008
【図７】
2020146110.tif 000009
【図８】
2020146110.tif 000010
【図９】
2020146110.tif 000011
【図１０】
2020146110.tif 000012
【図１１】
2020146110.tif 000013
【図１２】
2020146110.tif 000014
【図１３】
2020146110.tif 000015